(57)【要約】      （修正有）【課題】グリル庫内で調理対象物を温めるモードを実行する場合に、点火をより確実に行うことができ、点火後の過剰な加熱を抑制することができる構成を提供する。【解決手段】連動機構は、少なくとも火力操作レバーが温め火力位置にあるときに点火スイッチ（点火操作部）に対しグリルバーナを点火する操作がなされた場合に火力操作レバーを点火火力位置に移動させる。発光部８４Ａは、少なくともモード選択スイッチ６５Ａ（実行操作部）に対して所定操作（あたためモードを実行するための操作）が行われた場合に発光する。第１目印部９１は、火力操作レバーの温め火力位置を示す。第２目印部９２は、発光部８４Ａからの光を外部に導出する導出部を備える。第３目印部９３は、第１目印部９１と第２目印部９２とを対応付ける目印である。【選択図】図８
2018179432.tif 000002
【特許請求の範囲】
【請求項１】
調理対象物を収容するグリル庫と、
前記グリル庫内に収容された前記調理対象物を加熱するグリルバーナと、
前記グリル庫及び前記グリルバーナを収容する筐体部と、
前記筐体部の前面部側から露出し、前記グリルバーナを点火するために操作される部位となる点火操作部と、
少なくとも、前記グリルバーナの火力を所定火力に設定する位置である点火火力位置と、前記グリルバーナの火力を前記点火火力位置のときよりも低下した火力に設定する位置である温め火力位置と、に変位する火力操作レバーと、
前記点火操作部の操作と連動させて前記火力操作レバーを移動させ、少なくとも前記火力操作レバーが前記温め火力位置にあるときに前記点火操作部によって前記グリルバーナを点火する操作がなされた場合に前記火力操作レバーを前記点火火力位置に移動させる連動機構と、
所定のあたためモードを実行するための所定操作を行う部位である実行操作部と、
前記火力操作レバーの前記温め火力位置を示す目印である第１目印部と、少なくとも前記実行操作部に対して前記所定操作が行われた場合に発光する発光部を備えた第２目印部と、前記第１目印部と前記第２目印部とを対応付ける目印である第３目印部とが形成されたパネル部と、
を有するガスコンロ。
【請求項２】
前記第３目印部は、前記第２目印部側から前記第１目印部側に向けて延びる形状で描かれた線状の図形を含む請求項１に記載のガスコンロ。
【請求項３】
前記第１目印部は、前記あたためモードに対応する所定単語が示された第１文字表示部を含み、
前記第２目印部は、前記第１文字表示部の前記所定単語と同一の単語が示された第２文字表示部及び前記発光部を含む請求項１又は請求項２に記載のガスコンロ。
【請求項４】
前記点火火力位置にあるときの前記火力操作レバーの位置よりも前記温め火力位置にあるときの前記火力操作レバーの位置に近い位置に、前記第１目印部、前記第２目印部、前記第３目印部がそれぞれ設けられている請求項１から請求項３のいずれか一項に記載のガスコンロ。
【請求項５】
前記パネル部には、前記あたためモード以外のモードが選択された場合に発光する第２発光部を備えた第４目印部が形成され、前記第２目印部と前記第４目印部とが複数段に並んでモード表示部が構成されており、
前記火力操作レバー及び前記第１目印部の下方側に前記モード表示部が設けられ、
前記モード表示部の最上段において前記第１目印部と所定方向に対向する形態で前記第２目印部が設けられている請求項１から請求項４のいずれか一項に記載のガスコンロ。
【請求項６】
少なくとも前記発光部が発光する場合に、前記第３目印部の少なくとも一部から前記パネル部の外部に向けて光を導出させる光導出部を有する請求項１から請求項５のいずれか一項に記載のガスコンロ。
【請求項７】
前記光導出部は、前記所定操作に応じて前記発光部が発光した場合に当該発光部からの光を導いて前記パネル部の外側に導出する請求項６に記載のガスコンロ。
【発明の詳細な説明】
【技術分野】
【０００１】
本発明は、ガスコンロに関するものである。
【背景技術】
【０００２】
特許文献１には、グリル機能を備えたガスコンロの一例として、調理済みの被調理物の再加熱などを目的として、グリル庫内に収容された被調理物をグリルバーナの火炎によって温めるモード（あたためモード）を搭載したドロップインコンロが開示されている。このドロップインコンロでは、あたためモードの選択後に、グリルバーナの点火を継続する時間を設定できるようになっており、グリルバーナの点火後、設定時間が経過したタイミングでグリルバーナを消火し、グリルタイマーの終了を音声によって報知するようになっている。
【０００３】
一方、特許文献２には、点火操作時に、機械的な機構によってガス量調節レバーを強制的に所定火力の位置に移動させる技術が開示されている。この構成によれば、点火前にガス量調節レバーがどのような位置にあっても、点火操作時にはガス量調節レバーを所望の位置に移動させることができるようになる。
【先行技術文献】
【特許文献】
【０００４】
【特許文献１】特開２００７−１５１７９７号公報
【特許文献２】特開平１０−２３８７５１号公報
【発明の概要】
【発明が解決しようとする課題】
【０００５】
ところで、グリル庫を備えたガスコンロでは、グリル庫内で調理対象物を温めるモード（あたためモード）を実行する場合、グリルバーナの点火時には、点火を確実に行うために火力操作レバーの位置を相対的に強い火力の位置に設定することが望ましく、点火後には、あたためモード中の過剰な加熱を抑えるために、点火時よりも弱い火力の位置に設定することが望ましい。
【０００６】
点火操作の際に相対的に強い火力となるように確実に設定する方法としては、特許文献２と同様の技術が考えられ、グリルバーナを点火する操作がなされた場合に機械的な機構によって火力操作レバーを所定位置（相対的に強い火力の位置）に強制的に移動させるように構成すればよい。しかし、このような構成を採用した場合、点火操作時の火力操作レバーのまま点火後も放置されてしまう虞がある。つまり、相対的に強い火力のまま調理対象物を温めるモードが継続してしまい、調理対象物に対して過剰な加熱がなされてしまうという問題がある。
【０００７】
本発明は、上述した課題を解決するためになされたものであり、グリル庫内で調理対象物を温めるモードを実行する場合に、点火をより確実に行うことができ、点火後の過剰な加熱を抑制することができる構成を、より簡易に実現することを目的とするものである。
【課題を解決するための手段】
【０００８】
本発明の一態様であるガスコンロは、
調理対象物を収容するグリル庫と、
前記グリル庫内に収容された前記調理対象物を加熱するグリルバーナと、
前記グリル庫及び前記グリルバーナを収容する筐体部と、
前記筐体部の前面部側から露出し、前記グリルバーナを点火するために操作される部位となる点火操作部と、
少なくとも、前記グリルバーナの火力を所定火力に設定する位置である点火火力位置と、前記グリルバーナの火力を前記点火火力位置のときよりも低下した火力に設定する位置である温め火力位置と、に変位する火力操作レバーと、
前記点火操作部の操作と連動させて前記火力操作レバーを移動させ、少なくとも前記火力操作レバーが前記温め火力位置にあるときに前記点火操作部によって前記グリルバーナを点火する操作がなされた場合に前記火力操作レバーを前記点火火力位置に移動させる連動機構と、
所定のあたためモードを実行するための所定操作を行う部位である実行操作部と、
前記火力操作レバーの前記温め火力位置を示す目印である第１目印部と、少なくとも前記実行操作部に対して前記所定操作が行われた場合に発光する発光部を備えた第２目印部と、前記第１目印部と前記第２目印部とを対応付ける目印である第３目印部とが形成されたパネル部と、
を有する。
【発明の効果】
【０００９】
このガスコンロは、連動機構を有しており、連動機構は、少なくとも火力操作レバーが温め火力位置にあるときに点火操作部によってグリルバーナを点火する操作がなされた場合に火力操作レバーを点火火力位置に移動させるように動作する。つまり、火力操作レバーが温め火力位置となっている場合であっても、グリルバーナを点火する操作がなされた場合にはその操作に連動させて火力操作レバーを適正の位置（火力を相対的に高める位置である点火火力位置）に設定することができる。ゆえに、調理対象物を温めるモードを実行する場合であってもグリルバーナの点火をより確実に行うことができる。
更に、実行操作部に対して所定操作（所定のあたためモードを実行するための操作）が行われた場合に第２目印部の発光部が発光する構成となっている。従って、ユーザは、第２目印部の発光部が発行しているか否かよってあたためモードに設定されているか否かを把握することができる。しかも、このように構成された第２目印部と、火力操作レバーの温め火力位置を示す目印である第１目印部とを対応付けるように第３目印部が形成されているため、ユーザは、第２目印部が発光状態にあるとき（所定のあたためモードに設定されているとき）に、この第２目印部に対応付けられた第１目印部を意識することができるようになる。従って、ユーザは、あたためモードを実行する場合に、点火時に点火火力位置となっている火力操作レバーを点火後に温め火力位置に移動させるような対応をより確実に行いやすくなり、点火後の過剰な加熱を抑制することができる構成を、より簡易に実現することができる。
【図面の簡単な説明】
【００１０】
【図１】図１は、実施例１のガスコンロを例示する斜視図である。
【図２】図２は、実施例１のガスコンロにおいて天板部を取り外した状態を示す斜視図である。
【図３】図３は、実施例１のガスコンロの一部を分解して示す分解斜視図である。
【図４】図４は、実施例１のガスコンロの平面図である。
【図５】図５は、図４の構成から天板部等を省略した構成を例示する平面図である。
【図６】図６は、実施例１のガスコンロの電気的構成を概略的に示すブロック図である。
【図７】図７は、実施例１のガスコンロにおいてあたためモードで実行される調理制御の流れを例示するフローチャートである。
【図８】図８は、操作パネルの部分を拡大して示す拡大図である。
【図９】図９（Ａ）は、モード選択スイッチの操作を説明する説明図である。図９（Ｂ）は、図９（Ａ）のＡ−Ａ位置の断面構成を簡略的に示す断面図である。
【図１０】図１０は、グリルバーナの火力を調整する操作レバー及び関連構成を説明する説明図である。
【図１１】図１１は、焼き加減選択スイッチの操作を説明する説明図である。
【図１２】図１２は、あたためモードのときの経過時間とサーミスタ温度との関係等を説明する説明図である。
【図１３】図１３は、実施例２のガスコンロにおける操作パネルの部分を拡大して示す拡大図である。
【図１４】図１４（Ａ）は、図１３のＢ−Ｂ位置の断面構成を簡略的に示す断面図である。図１４（Ｂ）は、図１４（Ａ）とは異なる例を簡略的に示す断面図である。
【発明を実施するための形態】
【００１１】
以下、本発明の望ましい例を示す。但し、本発明は、以下の例に限定されない。
第３目印部は、第２目印部側から第１目印部側に向けて延びる形状で描かれた線状の図形を含んでいてもよい。このように第３目印部が構成されていれば、第３目印部に含まれる線状の図形により、第２目印部と第１目印部とが対応付けられていることを、ユーザに対して視覚面で直感的に分かりやすく伝えることができる。
【００１２】
第１目印部は、あたためモードに対応する所定単語が示された第１文字表示部を含んでいてもよい。第２目印部は、第１文字表示部の所定単語と同一の単語が示された第２文字表示部及び発光部を含んでいてもよい。このように、第１目印部に設けられた第１文字表示部と第２目印部に設けられた第２文字表示部のそれぞれにおいてあたためモードに対応する所定単語が示されていれば、ユーザは、第１目印部と第２目印部の関連性をより確証をもって認識することができる。ゆえに、ユーザは、あたためモードを実行する場合に、火力操作レバーを点火後に温め火力位置に移動させるような対応をより確実に行いやすくなる。
【００１３】
点火火力位置にあるときの火力操作レバーの位置よりも温め火力位置にあるときの火力操作レバーの位置に近い位置に、第１目印部、第２目印部、第３目印部がそれぞれ設けられていてもよい。このように温め火力位置にあるときの火力操作レバーの位置に近い位置となるように、第１目印部、第２目印部、第３目印部がそれぞれ設けられていれば、発光部が発光している場合（即ち、あたためモードに設定される場合）に、第１目印部、第２目印部、第３目印部が同時にユーザの目に入りやすくなる。ユーザは、発光状態となっている第２目印部と第１目印部との関連性をより確実に認識し、火力操作レバーを点火後に温め火力位置に移動させる対応をより確実に行いやすくなる。
【００１４】
パネル部には、あたためモード以外のモードが選択された場合に発光する第２発光部を備えた第４目印部が形成されていてもよい。そして、第２目印部と第４目印部とが複数段に並んだ形でモード表示部が構成されていてもよい。更に、火力操作レバー及び第１目印部の下方側にモード表示部が設けられていてもよい。そして、モード表示部の最上段において第１目印部と所定方向に対向する形態で第２目印部が設けられていてもよい。このようにモード表示部の最上段において第１目印部と所定方向に対向する形態で第２目印部が設けられていれば、複数のモード表示を行い得るパネル構成を採用しつつ、第１目印部と第２目印部とを対向状態で近づけることができる。よって、複数のモード表示を行い得る構成であっても、第２目印部が発光状態となっているときに第１目印部をより強く印象付けることができる。
【００１５】
ガスコンロは、少なくとも発光部が発光する場合に、第３目印部の少なくとも一部からパネル部の外部に向けて光を導出させる光導出部を有していてもよい。このように光導出部が設けられていれば、発光部が発光している時期（あたためモードの設定中）に、第３目印部を光らせた状態とすることができ、ユーザに第３目印部をより一層印象付けることができる。ゆえに、ユーザは、第３目印部によってなされる対応関係（第２目印部と第１目印部との対応関係）をより一層意識することになり、火力操作レバーを点火後に温め火力位置に移動させる対応がより行われやすくなる。
【００１６】
光導出部は、所定操作に応じて発光部が発光した場合に当該発光部からの光を導いてパネル部の外側に導出する構成であってもよい。このように光導出部が構成されていれば、発光部の光を利用して第３目印部を光らせることができるようになり、第３目印部を光らせるための専用の発光部などを削減しやすくなる。
【００１７】
＜実施例１＞
以下、本発明を具現化した実施例１について、図面を参照して説明する。
（ガスコンロの基本構成）
図１〜図４等を参照し、ガスコンロ１の基本構成を説明する。
図１〜図４等で示すガスコンロ１は、テーブルガスコンロとして構成され、天板部３０と装置本体１Ａを備え、装置本体１Ａの上端部に天板部３０が固定された構成をなす。図２は、装置本体１Ａの外観を示すものであり、図１で示すガスコンロ１から天板部３０、排気口カバー８０、五徳１８，１９などを取り外した状態の外観を示すものである。図３は、装置本体１Ａから天板部３０を取り外し、更に排気口カバー８０を取り外した分解斜視図である。図２〜図４では、右側の操作パネル６５の具体的デザインを省略して示している。また、図１〜図４では、左側の操作パネル６９の具体的デザインを省略して示している。
【００１８】
本構成では、ガスコンロ１が平坦な載置面に載置されたときの載置面と直交する方向が上下方向である。また、上下方向と直交する方向のうち側壁部４Ａ、４Ｂが向かい合う方向が左右方向であり、上下方向及び左右方向と直交する方向が前後方向である。ガスコンロ１では、図４のように平面視したときの長手方向が左右方向となっており、短手方向が前後方向となっている。また、ガスコンロ１では、正面視したときの長手方向が左右方向となっており、短手方向が上下方向となっている。
【００１９】
装置本体１Ａは、図２のような構成をなし、ガスコンロ１から天板部３０及び天板部３０に対する取付物（排気口カバー８０、五徳１８，１９など）を取り外した残りの部分を指す。装置本体１Ａは、外殻を構成する筐体部２、梁部材２０、右側バーナ１４、左側バーナ１５、ガス供給装置１６，１７、グリル庫１２、排気路１３などを備える。
【００２０】
筐体部２は、例えば金属材料によって構成され、上端部が開口する略直方体状に構成されている。筐体部２は、ガスコンロ１の外殻をなすとともにガスバーナ（右側バーナ１４、左側バーナ１５、グリルバーナ１０）、グリル庫１２などを収容するケースとして機能する。筐体部２は、主に、筐体本体部４、梁部材２０、前パネル５などを備えた構成をなし、上端側が開放した箱状形態をなす。図２のように、筐体本体部４は、ガスコンロ１の左右両側に配置される一対の側壁部４Ａ，４Ｂと、後端側に配置される後壁部４Ｃと、下面側に配置される底壁部（図示略）とを備える。側壁部４Ａ，４Ｂ、後壁部４Ｃ、底壁部は互いに連結されており、筐体本体部４は、上端側及び前端側が開放した箱状形態をなす。梁部材２０は、筐体本体部４の内部に配置され、筐体本体部４内の前側の位置において左右方向に延びた形態で架設される架設部２２を備える。筐体本体部４の一対の側壁部４Ａ，４Ｂの間には、ガスバーナ（右側バーナ１４、左側バーナ１５、グリルバーナ１０等）、グリル庫１２、排気路１３などの各種部品が収容される。
【００２１】
図１、図２のように、前パネル５は、ガスコンロ１の前面部として機能する部分である。図２のように、前パネル５は、上述した筐体本体部４及び梁部材２０に対して前側から装着される。図２の例では、筐体本体部４の左右両側に前パネル５がそれぞれ装着され、２つの前パネル５の間には、グリル庫１２のグリル扉１２Ａが開閉可能に装着されている。
【００２２】
図１、図３のように、天板部３０は、ガスコンロ１の上面部として機能する。図３のように、天板部３０は、板状に構成された天板本体３１と、天板本体３１の周縁部に取り付けられる外枠体５０と、天板本体３１と外枠体５０とによって構成される板状構造体３５に形成された開口部に取り付けられる内枠体４０と、を備え、全体として板状の形態をなす。天板部３０は、筐体部２の上端部に対して当該上端部の開口を閉塞する形態で固定される。
【００２３】
図２のように、グリル庫１２は、調理対象物を収容可能に構成され、装置本体１Ａの左右方向中央部付近に設置されるとともに、前後左右上下が囲まれた箱状形態をなし、調理対象物を庫内に収容し得る構成をなす。排気路１３は、装置本体１Ａの上部後端側においてグリル庫１２内の空間から連通する構成をなす。排気路１３は、グリル庫１２内の排気を行うための経路であり、グリル庫１２で生じた排気を天板部３０に形成された排気口４０Ａに誘導するように機能する。排気路１３の端部には開口部１３Ａが形成されている。開口部１３Ａは、排気路１３の上部後端側において上方側に開放した形態をなし、天板部３０の排気口４０Ａの下側に位置している（図１、図３参照）。図１のように、排気口カバー８０は、排気口４０Ａを覆う構成で配置されている。排気口カバー８０は、天板部３０上に載置される形で着脱可能に設置されている。排気口カバー８０は、複数の通気孔８０Ａを備え、通気孔８０Ａを介して排気口４０Ａ（図３）から排出される排気を外部（ガスコンロ１の上方側）に放出する。
【００２４】
図１のように、グリル庫１２のグリル扉１２Ａは、上述した２つの前パネル５の間に設けられており、これら前パネル５とともに、装置本体１Ａの前面部を構成する。グリル扉１２Ａは、装置本体１Ａの前面部の幅方向略中央付近に設けられている。グリル扉１２Ａは、グリル庫１２の前方側に引き出し可能とされており、使用者はグリル扉１２Ａに設けられた取っ手を掴みつつグリル扉１２Ａを前方に引き出すことにより、グリル庫１２内に収納された受け皿及び焼き網等を一体的に外部に取り出すことができる。
【００２５】
図２のように、筐体部２内には、右側バーナ１４、左側バーナ１５、グリルバーナ１０などが収容されている。図１、図３のように、天板本体３１の左右両側には、円形状の一対の開口部３２，３３が形成され、これら開口部３２，３３にそれぞれ挿入される形態で右側バーナ１４及び左側バーナ１５が天板部３０の上方側に向けて突出して配置されている。右側バーナ１４及び左側バーナ１５の各周囲には、五徳１８，１９が夫々設置されている。ガスコンロ１の使用時には、五徳１８，１９の各上部にフライパン、鍋等の調理容器（図示略）が載置される。
【００２６】
右側バーナ１４へのガス供給経路には、ガス供給装置１６が設けられている。ガス供給装置１６は、右側バーナ１４の点火消火を行うとともに、右側バーナ１４にガスを供給するための装置として機能する。ガス供給装置１６は、右側バーナ１４の点火又は消火を行うための操作部である点火スイッチ１６Ａと、装置本体１Ａの前方側に延出する火力操作レバー１６Ｂと備える。ガス供給装置１６は、火力操作レバー１６Ｂの左右方向の変位に応じて右側バーナ１４へのガス供給量を調整するように動作する。左側バーナ１５へのガス供給経路には、ガス供給装置１７が設けられている。ガス供給装置１７は、左側バーナ１５の点火消火を行うとともに、左側バーナ１５にガスを供給するための装置として機能する。ガス供給装置１７は、左側バーナ１５の点火又は消火を行うための操作部である点火スイッチ１７Ａと、装置本体１Ａの前方側に延出する火力操作レバー１７Ｂと備える。ガス供給装置１７は、火力操作レバー１７Ｂの左右方向の変位に応じて左側バーナ１５へのガス供給量を調整するように動作する。
【００２７】
グリルバーナ１０は、グリル庫１２内で火炎を発生させてグリル庫１２内を加熱することで、グリル庫１２内に収容された調理対象物を加熱するように機能する。グリルバーナ１０へのガス供給経路には、ガス供給装置１１が設けられている。ガス供給装置１１は、グリルバーナ１０の点火消火を行うとともに、グリルバーナ１０にガスを供給するための装置として機能する。ガス供給装置１１は、グリルバーナ１０の点火又は消火を行うための操作部である点火スイッチ１１Ａと、装置本体１Ａの前方側に延出する火力操作レバー１１Ｂ，１１Ｃと備える。点火スイッチ１１Ａは、点火操作部の一例に相当し、筐体部２の前面部側から露出し、グリルバーナ１０を点火するために操作される部位である。ガス供給装置１１は、火力操作レバー１１Ｂ，１１Ｃの左右方向の変位に応じてグリルバーナ１０へのガス供給量を調整するように動作する。火力操作レバー１１Ｂ（上火用火力調整つまみ）は、グリルバーナ１０における上側バーナの火力を調整するレバーであり、火力操作レバー１１Ｃ（下火用火力調整つまみ）は、グリルバーナ１０における下側バーナの火力を調整するレバーである。
【００２８】
ガスコンロ１は、図６のような電気的構成をなす。
図６のように、ガスコンロ１は制御回路７０を備える。制御回路７０は、ＣＰＵ７０Ａ、ＲＯＭ７０Ｂ、ＲＡＭ７０Ｃ、フラッシュメモリ７０Ｄに加え、図示しないタイマ、グリルタイマ、Ｉ／Ｏインタフェイス等を備える。タイマ、グリルタイマはプログラムで作動するものである。ＣＰＵ７０Ａはガスコンロ１の各種動作を統括制御する。ＲＯＭ７０Ｂはガスコンロ１の各種制御プログラムを記憶し得る。
【００２９】
制御回路７０には、電源回路６１、スイッチ入力回路６２、サーミスタ入力回路６４、操作パネル入力回路６６、イグナイタ回路６８、ブザー装置７３、音声装置７５、表示装置７７等が各々接続されている。また、図示しない安全弁を動作させる安全弁回路（図示省略）や、図示しない電磁弁を動作させる電磁弁回路(図示省略)なども制御回路７０に接続されている。電源回路６１は電池ボックスに搭載される２つの乾電池６０からの電力供給を受け、各種回路に印加する直流電源を生成する機能を有する。スイッチ入力回路６２は、点火スイッチ１６Ａ，１７Ａ，１１Ａの押下を各々検出する。操作パネル入力回路６６は操作パネルにおける各種操作の入力を行う。
【００３０】
サーミスタ６３は、グリル庫１２の内部又はグリル庫１２からの排気が流れる排気路１３内の温度を検出する。サーミスタ６３はグリル庫１２又は排気路１３内の所定位置に配置され、サーミスタ６３が設置された位置の温度に応じた検出値を生成する。サーミスタ入力回路６４は、サーミスタ６３で生成された検出値に対応する電圧信号（例えば、検出値そのもの、或いは検出値を増幅した増幅信号など）を制御回路７０に与える。なお、図６では、グリル庫１２又は排気路１３に配置されるサーミスタ６３を例示しているが、右側バーナ１４付近や左側バーナ１５付近など、様々な場所にサーミスタを設けることができる。
【００３１】
イグナイタ回路６８は、各バーナにそれぞれ設けられたイグナイタ６７Ａ，６７Ｂ，６７Ｃを各々駆動する。イグナイタ回路６８は、点火スイッチ１６Ａの点火操作に応じて右側バーナ１４のイグナイタ６７Ａを駆動し、イグナイタ６７Ａで火花を放電させて右側バーナ１４に点火する。イグナイタ回路６８は、点火スイッチ１７Ａの点火操作に応じて左側バーナ１５のイグナイタ６７Ｂを駆動し、イグナイタ６７Ｂで火花を放電させて左側バーナ１５に点火する。イグナイタ回路６８は、点火スイッチ１１Ａの点火操作に応じてグリルバーナ１０のイグナイタ６７Ｃを駆動し、イグナイタ６７Ｃで火花を放電させてグリルバーナ１０に点火する。
【００３２】
ブザー装置７３は、圧電ブザー装置などの公知のブザー装置として構成されている。音声装置７５は、メロディ、メッセージなどの音声を発する装置である。音声装置は、スピーカとスピーカーに対して音声信号を与える駆動回路とを備え、制御回路７０からの指示に対応した音声を発する。表示装置７７は、複数の表示部と、これら表示部を駆動する複数の表示制御回路とを備える。複数の表示部の中には、図１で示す表示器８２や図９で示す発光部(発光部８４Ａや第２発光部８４Ｂ〜８４Ｄ)などが含まれ、制御回路７０の制御によって表示器８２や発光部(発光部８４Ａや第２発光部８４Ｂ〜８４Ｄ)の表示内容を変化させうる。
【００３３】
次に、ガスコンロ１の加熱調理モードについて説明する。ガスコンロ１では、グリル庫１２において複数種類の加熱調理モードが設定可能である。複数種類の加熱調理モードの中には、少なくとも「通常モード」と「オートモード」とが含まれ、「オートモード」の中には、「あたためモード」「干物モード」「切身モード」「姿焼モード」が含まれる。通常モードは、このようなオートモード（「あたためモード」「干物モード」「切身モード」「姿焼モード」）がなされないモードである。これらのうち、「あたためモード」は、モード選択スイッチ６５Ａ（実行操作部）に対して所定の操作がなされたときに実行されるモードであり、例えば、加熱調理がなされた後に冷えた調理済み対象物を再加熱するような調理に適したモードである。勿論、このような場面以外の場面で適用してもよい。
【００３４】
ここで、図７等を参照し、「あたためモード」での調理制御について説明する。なお、ここでは便宜的に「あたためモード」と称しているが、同趣旨のモードであれば、モードの名称は別の名称でもよい。
【００３５】
図１等で示すガスコンロ１では、ガスコンロ１の電源がオン状態となっている場合（電源回路から各部品に動作電力が供給されているとき）において所定の開始条件が成立したときに、制御回路７０によって図７で示す調理制御が実行される。所定の開始条件は、例えば、「「あたためモード」に設定されているときに点火スイッチ１１Ａが押される」という条件である。
【００３６】
ガスコンロ１では、ガスコンロ１の電源がオン状態となっているときに、図８で示す操作パネル６５を操作することでモードを切り替えることができるようになっている。具体的には、電源オン状態のときに図９のようにモード選択スイッチ６５Ａが押圧されると、モードの設定状態が切り替わる。例えば、「通常モード」のときにモード選択スイッチ６５Ａが押されると、「あたためモード」に切り替わり、その後、モード選択スイッチ６５Ａが押される毎に、「干物モード」「切身モード」「姿焼モード」に切り替わる。「姿焼モード」のときにモード選択スイッチ６５Ａが押されると、再び「通常モード」に戻る。この例では、例えば、「通常モード」のときにモード選択スイッチ６５Ａを１回押す操作が、「あたためモード」に設定するための所定操作である。また、「姿焼モード」のときにモード選択スイッチ６５Ａを２回押す操作、「切身モード」のときにモード選択スイッチ６５Ａを３回押す操作、「干物モード」のときにモード選択スイッチ６５Ａを４回押す操作が「あたためモード」に設定するための所定操作である。「あたためモード」に設定された場合、「あたためモード」に設定されていることを示すモード設定情報がメモリなどに記憶される。また、「あたためモード」のときにモード選択スイッチ６５Ａが押されると、「あたためモード」の設定が解除され、「干物モード」に切り替わる。この場合、「あたためモード」に設定されていることを示すモード設定情報が解除され、「干物モード」に設定されていることを示すモード設定情報がメモリなどに記憶される。
【００３７】
「あたためモード」に設定された場合、あたためモードを示す文字表示（「あたため」の文字）にて隣接して配置された表示ランプ（発光部８４Ａ）を点灯させるように制御回路７０によって制御がなされ、この場合、その他の表示ランプ（第２発光部８４Ｂ，８４Ｃ，８４Ｄ）は点灯しない。「干物モード」「切身モード」「姿焼モード」の各々が設定される場合、表示ランプ（第２発光部８４Ｂ，８４Ｃ，８４Ｄ）のうちの設定モードに対応するランプが点灯し、対応しないランプは点灯しない。「通常モード」のときには、表示ランプ（発光部８４Ａ及び第２発光部８４Ｂ，８４Ｃ，８４Ｄ）は点灯しない。
【００３８】
図１等で示すガスコンロ１では、上述した所定操作によって「あたためモード」に設定されているときに点火スイッチ１１Ａが押された場合に、制御回路７０が図７の調理制御を実行し、「あたためモード」に対応した加熱制御を実行する。
【００３９】
まず、「あたためモード」に設定されているときのグリルバーナ１０の点火操作について説明する。図５のようにガスコンロ１には、連動機構１１Ｄが設けられている。連動機構１１Ｄは、火力操作レバー１１Ｂ，１１Ｃの少なくともいずれかが点火火力位置（最大火力位置）にない状態で点火スイッチ１１Ａが押圧操作された場合に、火力操作レバー１１Ｂ，１１Ｃのうち点火火力位置（第１位置）にないレバーを点火スイッチ１１Ａ（点火操作部）の操作と連動させて右端の点火火力位置に移動させるように構成されている。例えば、火力操作レバー１１Ｂ，１１Ｃがいずれも温め火力位置（第２位置）にあるときに点火スイッチ１１Ａによってグリルバーナ１０を点火する操作がなされた場合、点火スイッチ１１Ａの変位と連動させて火力操作レバー１１Ｂ，１１Ｃの両方を右端の点火火力位置（図８の二点鎖線Ｐ１、図１０参照）に移動させるように動作する。火力操作レバー１１Ｂ，１１Ｃのいずれか又は両方が点火火力位置（最大火力位置）にある状態で点火スイッチ１１Ａが押圧操作された場合、連動機構１１Ｄは、点火火力位置にあるレバーについては連動させずにそのままの位置とし、点火火力位置にないレバーを右端の点火火力位置に移動させる。なお、スイッチの直線的移動又は回動（押圧操作）に応じて所定位置（点火火力位置）にないレバーを所定位置に移動させる連動機構は、特開平１０−２３８７５１号公報、特許第３１２８４６６号公報、特開２０１５−２１５１４３号公報などに開示された公知の様々な機構を採用することができる。
【００４０】
火力操作レバー１１Ｂの点火火力位置（第１位置）は、グリルバーナ１０のうちの上バーナを最大火力に設定する位置である。火力操作レバー１１Ｃの点火火力位置（第１位置）は、グリルバーナ１０のうちの下バーナを最大火力に設定する位置である。火力操作レバー１１Ｂの温め火力位置（第２位置）は、グリルバーナ１０のうちの上バーナを最小火力に設定する位置である。火力操作レバー１１Ｃの温め火力位置（第１位置）は、グリルバーナ１０のうちの下バーナを最大火力に設定する位置である。つまり、図８で示す二点鎖線Ｐ１のように火力操作レバー１１Ｂ、１１Ｃがいずれも点火火力位置にあるときには、グリルバーナ１０に対するガス供給量が最大となり、図８で示す二点鎖線Ｐ２又は図１０のように火力操作レバー１１Ｂ、１１Ｃがいずれも温め火力位置にあるときには、グリルバーナ１０に対するガス供給量が最小となる。
【００４１】
このような連動機構１１Ｄが設けられているため、点火スイッチ１１Ａの押圧操作時には、図１０のように火力操作レバー１１Ｂ，１１Ｃを点火火力位置（グリルバーナ１０に対して最大量のガスが供給される最大火力位置）に設定した状態でグリルバーナ１０に対応するイグナイタで火花放電を行うことができる。
【００４２】
「あたためモード」を実施する場合、このように点火スイッチ１１Ａの押圧操作に応じてグリルバーナ１０が点火された後、使用者によって、火力操作レバー１１Ｂ，１１Ｃの両方が図８の二点鎖線Ｐ２で示す左端の温め火力位置（最小火力位置）に移動されることが望ましい。このため、図１、図８のように操作パネル６５には、第１目印部９１、第２目印部９２、第３目印部９３が設けられている。これら、第１目印部９１、第２目印部９２、第３目印部９３は、点火火力位置にあるときの火力操作レバー１１Ｂ，１１Ｃの位置（図８で示す二点鎖線Ｐ１の位置）よりも温め火力位置にあるときの火力操作レバー１１Ｂ，１１Ｃの位置（図８で示す二点鎖線Ｐ２の位置）に近い位置にそれぞれ設けられている。
【００４３】
第１目印部９１は、火力操作レバー１１Ｂ，１１Ｃの温め火力位置を示す目印である。
第１目印部９１は、あたためモードに対応する所定単語（具体的には、「あたため」の文字）が表された第１文字表示部９１Ａと、所定の図形（例えば、四角形の図形）が表された図形表示部９１Ｂとを含んでおり、これら第１文字表示部９１Ａと図形表示部９１Ｂとが上下に近接して配置されている。第１文字表示部９１Ａは、操作パネル６５の前方側から視認可能となるように操作パネル６５の前面部に「あたため」の文字が表されている。図８の二点鎖線Ｐ２で示すように、火力操作レバー１１Ｂ，１１Ｃはいずれも、温め火力位置（可動範囲の左端位置）にあるときに第１目印部９１の上に位置する。なお、図８の二点鎖線Ｐ１で示すように、火力操作レバー１１Ｂ，１１Ｃはいずれも、点火火力位置（可動範囲の右端位置）にあるときには、所定の文字（上火、下火の文字表示部９６）及び図形部分（右側となるにつれて幅が広くなる線状図形９５の最も幅が広い部分）の上に位置する。線状図形９５は、上下の幅が火力の大きさを示し、火力操作レバー１１Ｂ，１１Ｃの位置が右側になるほど火力が大きくなることを示している。
【００４４】
図９（Ａ）のように第２目印部９２は、表示ランプとして構成された発光部８４Ａと第２文字表示部８５Ａとを備える。図９（Ｂ）のように、発光部８４Ａは、発光素子８８Ａと導出部８８Ｂとを具備する。発光素子８８Ａは、例えば、ＬＥＤなどの発光素子によって構成されており、外部からモード選択スイッチ６５Ａ（実行操作部）に対して上述の所定操作（あたためモードに設定するための操作）が行われた場合に発光する。導出部８８Ｂは、上述の所定操作に応じて発光素子８８Ａが発光した場合に当該発光素子８８Ａからの光を外部に導出する部分である。本構成では、操作パネル６５の前面部が例えば樹脂シートなどのシート部材によって構成されており、導出部８８Ｂは、この樹脂シートに形成された透光性の窓部として構成されている。導出部８８Ｂは、後方側に配置された発光素子８８Ａからの光を通過させて前方側に導き得る構成であればよく、樹脂材料などからなる透明部として構成されていてもよく、半透明部として構成されていてもよい。或いは、上記樹脂シートに形成された孔部として構成されていてもよい。なお、図９の構成では、導出部８８Ｂの周囲（例えば「あたため」の文字が表された部分など）は、遮光性のシート材によって構成されている。第２文字表示部８５Ａは、操作パネル６５の前方側から視認可能となるように第１文字表示部９１Ａの所定単語と同一の単語（即ち、「あたため」の文字）が示された文字表示部分である。
【００４５】
図８のように、第３目印部９３は、第１目印部９１と第２目印部９２とを対応付ける目印となっている。第３目印部９３は、第２目印部９２の近傍（具体的には、第２文字表示部８５Ａの近傍）から第１目印部９１の近傍（具体的には、第１文字表示部９１Ａの近傍）に向けて延びる形状で描かれた線状の図形となっている。図８の例では、第３目印部９３は、点線が直角に折れ曲がった線状の図形となっており、第２文字表示部８５Ａの近くから左右方向の延びる点線と第１文字表示部９１Ａの近くから上下方向の延びる点線とによって折れ曲がった点線図形が構成されている。
【００４６】
更に、操作パネル６５（パネル部）には、図９のような複数の第４目印部９４が形成されており、各第４目印部９４は、あたためモード以外のモードが選択された場合に発光する第２発光部８４Ｂ，８４Ｃ，８４Ｄをそれぞれ備えている。具体的には、表示ランプとして構成された第２発光部８４Ｂと「干物」の文字で表された文字表示部８５Ｂによって一番上の第４目印部９４が構成され、表示ランプとして構成された第２発光部８４Ｃと「切身」の文字で表された文字表示部８５Ｃによって中段の第４目印部９４が構成され、表示ランプとして構成された第２発光部８４Ｄと「姿焼」の文字で表された文字表示部８５Ｄによって一番下の第４目印部９４が構成されている。そして、第２目印部９２と複数の第４目印部９４とが複数段に並んだ形でモード表示部８３が構成されている。そして、火力操作レバー１１Ｂ，１１Ｃ及び第１目印部９１の下方側にモード表示部８３が設けられており、モード表示部８３の最上段において第１目印部９１と所定方向（斜め上下方向）に対向する形態で第２目印部９２が設けられている。
【００４７】
ガスコンロ１では、「あたためモード」に設定されているときに点火スイッチ１１Ａが押された場合、制御回路７０が図７の調理制御を実行し、まず、第１タイマ（グリルバーナ１０の点火が開始してからの経過時間を計測するタイマ）を動作させ、グリルバーナ１０の点火が開始してからの経過時間の計測を開始する（ステップＳ１）。
【００４８】
制御回路７０は、ステップＳ１の後、焼き加減情報を取得する（ステップＳ２）。ガスコンロ１では、電源がオン状態となっているときに、図８で示す操作パネル６５を操作することで焼き加減を切り替えることができるようになっている。具体的には、電源オン状態のときに図１１のように焼き加減選択スイッチ６５Ｂが押圧されると、焼き加減の設定状態が切り替わる。例えば、「標準モード」のときに焼き加減選択スイッチ６５Ｂが押されると、「強めモード」に切り替わり、その後、モード選択スイッチ６５Ａが押される毎に、「弱めモード」「標準モード」「強めモード」・・・と順番に切り替わる。「強めモード」に設定された場合には「強めモード」に設定されていることを示す焼き加減設定情報が、「標準モード」に設定された場合には「標準モード」に設定されていることを示す焼き加減設定情報が、「弱めモード」に設定された場合には「弱めモード」に設定されていることを示す焼き加減設定情報がメモリなどに記憶される。このようなモード設定（焼き加減の設定）は、図７で示す調理制御の開始前に行うようにしてもよく、図７で示す調理制御の開始後に行えるようにしてもよい。制御回路７０は、ステップＳ２の処理を実行する場合、例えばメモリを参照し、焼き加減設定情報がいずれのモードを示すものであるかを確認する。
【００４９】
なお、本構成では、「強めモード」に設定されている場合、強めモードを示す文字表示（「強め」の文字）にて隣接して配置された表示ランプ８６Ａを点灯させるように制御回路７０によって制御がなされ、この場合、その他の表示ランプ８６Ｂ，８６Ｃは消灯させる。同様に、「標準モード」に設定された場合、標準モードを示す文字表示（「標準」の文字）にて隣接して配置された表示ランプ８６Ｂを点灯させるとともにその他の表示ランプ８６Ａ，８６Ｃは消灯させ、「弱めモード」に設定された場合、弱めモードを示す文字表示（「弱め」の文字）にて隣接して配置された表示ランプ８６Ｃを点灯させるとともにその他の表示ランプ８６Ａ，８６Ｂは消灯させる。
【００５０】
制御回路７０は、ステップＳ２の後、カットオフ温度を算出する（ステップＳ３）。カットオフ温度は、サーミスタ６３の検出値によって把握される検出温度と比較するための閾値温度である。カットオフ温度（閾値温度）は、グリルバーナ１０が点火状態となってから時間が経過するほど低く設定される。例えば、カットオフ温度（閾値温度）をＹとし、グリルバーナ１０が点火状態となってからの経過時間をＸとした場合、制御回路７０は、「強めモード」に設定されている場合には、Ｙ＝Ａ×Ｘ＋Ｂの式にてカットオフ温度（閾値温度）Ｙを算出し、「標準モード」に設定されている場合には、Ｙ＝Ａ×Ｘ＋Ｃの式にてカットオフ温度（閾値温度）Ｙを算出し、「弱めモード」に設定されている場合には、Ｙ＝Ａ×Ｘ＋Ｄの式にてカットオフ温度（閾値温度）Ｙを算出する。Ｂ，Ｃ，Ｄの値はいずれも正の固定値（定数）であり、Ｂ＞Ｃ＞Ｄである。また、Ａの値は負の固定値（定数）である。各式の関係は、図１２にも示す。なお、図１２は、標準モードに設定された場合の一例を示しており、強めモードのときの式（Ｙ＝Ａ×Ｘ＋Ｂ）及び弱めモードのときの式（Ｙ＝Ａ×Ｘ＋Ｄ）は、二点鎖線にて仮想的に示している。
【００５１】
ステップＳ３では、「強めモード」「標準モード」「弱めモード」のうちの現在（ステップＳ３の実行時点）の設定モードに対応する演算式をＹ＝Ａ×Ｘ＋Ｂ、Ｙ＝Ａ×Ｘ＋Ｃ、Ｙ＝Ａ×Ｘ＋Ｄの中から選択する。そして、現在（ステップＳ３の実行時点）における第１タイマのカウント値（ステップＳ１からの経過時間）をＸとして、カットオフ温度（閾値温度）Ｙを算出する。
【００５２】
制御回路７０は、ステップＳ３の後、サーミスタ６３の検出値に基づいて、サーミスタ６３の配置位置（グリル庫１２内又は排気路１３内）の検出温度Ｔを取得する。そして、ステップＳ４で取得した検出温度ＴとステップＳ３で算出したカットオフ温度（閾値温度）Ｙとを比較し、検出温度Ｔがカットオフ温度（閾値温度）Ｙに到達しているか否かを判断する（ステップＳ５）。制御回路７０は、ステップＳ５において検出温度Ｔがカットオフ温度（閾値温度）Ｙ未満であると判定した場合、処理をステップＳ２に戻し、ステップＳ２以降の処理を再び行う。
【００５３】
制御回路７０は、ステップＳ５において検出温度Ｔがカットオフ温度（閾値温度）Ｙ以上であると判定した場合、処理をステップＳ６に進め、グリルバーナ１０の消火を行う。ステップＳ６では、ステップＳ６の実行時点での第１タイマのカウント値（ステップＳ１の実行後の経過時間ｔａ）も取得する。本構成では、制御回路７０は、制御部の一例に相当し、グリルバーナ１０が点火状態となってから時間が経過するにつれてカットオフ温度（閾値温度）を低く設定し、サーミスタ６３（温度センサ）で検出された温度Ｔがカットオフ温度（閾値温度）に達した場合にグリルバーナ１０を消火状態に切り替えるように機能する。なお、図１２の説明図では、矢印Ｆ１がグリルバーナ１０の点火タイミングを示し、矢印Ｆ２がグリルバーナ１０の消火タイミングを示す。この間の期間は、グリルバーナ１０が点火しており、グリル庫１２内の温度は上昇する。一方、グリルバーナ１０の消火事件（矢印Ｆ２で示すタイミング）以降は、グリル庫１２に残存する余熱によってグリル庫１２内の調理対象物が温められる。
【００５４】
制御回路７０は、ステップＳ６の後、ステップＳ７にて第２タイマ（グリルバーナ１０が消火してからの経過時間を計測するタイマ）を動作させ、グリルバーナ１０が消火してからの経過時間の計測を開始する（ステップＳ７）。制御回路７０は、ステップＳ７の後、ステップＳ８にて設定時間（第２時間）を算出する。制御部の一例に相当する制御回路７０は、グリルバーナ１０が点火状態となってからサーミスタ６３（温度センサ）で検出される温度Ｔがカットオフ温度（閾値温度）に達するまでの時間（具体的には、ステップＳ６で取得した、経過時間ｔａ）が短いほど設定時間（第２時間）ｔ２を長く設定する。設定時間ｔ２の算出は、例えば、ｔ２＝Ｅ×ｔａ＋Ｆのような一次式（但し、Ｅは負の定数、Ｆは正の定数、ｔａはステップＳ６で取得した経過時間）で算出してもよい。或いは、ｔ２＝Ｇ／ｔａのような反比例の式（但し、Ｇは正の定数）で算出してもよい。或いは、サーミスタ６３（温度センサ）で検出される温度Ｔがカットオフ温度（閾値温度）に達するまでの時間（経過時間ｔａ）が短いほど設定時間（第２時間）ｔ２を長く設定するように経過時間ｔａと設定時間（第２時間）ｔ２とを対応付けたテーブルデータを用意しておき、経過時間ｔａに基づいて対応付けられた設定時間（第２時間）ｔ２を決定するようにしてもよい。
【００５５】
制御回路７０は、ステップＳ８の後、ステップＳ９にて、ステップＳ７で開始した第２タイマのカウント値（グリルバーナ１０が消火してからの経過時間）が第２時間ｔ２に到達したか否かを判断する。第２時間ｔ２は、設定時間（第１時間）ｔ１よりも短い時間であり、予め決められた固定時間であってもよく、設定時間（第２時間）ｔ１の値に基づいて算出される時間であってもよい。例えば、第２時間ｔ２は、設定時間（第１時間）ｔ１から一定時間ｔ３（例えば３０秒）だけ減算して得られた時間（即ちｔ２＝ｔ１−ｔ３）であってもよく、設定時間（第１時間）ｔ１の一定割合（例えば８０％）の時間などであってもよい。制御回路７０は、第２タイマのカウント値（グリルバーナ１０が消火してからの経過時間）が第２時間ｔ２に到達するまではステップＳ９の判断を繰り返し行い、第２タイマのカウント値（経過時間）が第２時間ｔ２に到達した場合にはステップＳ１０に処理を進め、予告通知を開始する。
【００５６】
制御回路７０は、ステップＳ１０で予告通知を開始する場合、例えば、ブザー装置７３を鳴動させ、所定の音（例えば、ピピッという音）を所定回数発する。ステップＳ１０で予告通知を行うときのブザー装置７３の音は、ステップＳ１２で報知処理を行うときの音よりも小さく設定すると良い。制御回路７０は、ステップＳ１０の後、ステップＳ１１にて、ステップＳ７で開始した第２タイマのカウント値（グリルバーナ１０が消火してからの経過時間）が設定時間ｔ１（第１時間）に到達したか否かを判断する。制御回路７０は、第２タイマのカウント値（グリルバーナ１０が消火してからの経過時間）が第１時間ｔ１に到達するまではステップＳ１１の判断を繰り返し行い、第２タイマのカウント値（経過時間）が第１時間ｔ１に到達した場合にはステップＳ１２に処理を進め、報知処理を行う。制御回路７０は、ステップＳ１２で報知処理を開始する場合、例えば、音声装置７５を動作させ、所定の音声（例えば、所定のメロディ）を所定時間流す。なお、メロディーに限定されず、例えば、「あたためが終了しました」といったメッセージを音声で発するようにしてもよい。本構成では、制御回路７０、ブザー装置７３、音声装置７５が報知部として機能し、グリルバーナ１０を消火状態に切り替えてから設定時間（第１時間）ｔ１が経過するまでは所定の報知（所定の音声報知）を行わず、設定時間ｔ１が経過した後に所定の報知を行うようになっている。この報知部は、制御回路７０がステップＳ６でグリルバーナ１０を消火状態に切り替えてから設定時間ｔ１よりも短い第２時間ｔ２が経過したときに第１の音声報知とは異なる第２の音声報知（例えば、ブザー装置７３によるブザーの鳴動）を行い、ステップＳ６でグリルバーナ１０を消火状態に切り替えてから設定時間ｔ１が経過したときに第１の音声報知（例えば、音声装置７５によるメロディの演奏）を行う。なお、ステップＳ８の後、所定のタイミングから設定時間ｔ１が経過するまでの間、残時間（ステップＳ７からの時間経過が設定時間ｔ１（第１時間）に達するまでの残時間）を継続的に表示するようにカウントダウン機能を持たせてもよい。例えば、ステップＳ１０の実行後、表示器８２に上記残時間を数値表示するようにしてもよい。
【００５７】
次に、本構成の主な効果を例示する。
ガスコンロ１は、連動機構１１Ｄを有しており、連動機構１１Ｄは、少なくとも火力操作レバー１１Ｂ，１１Ｃが温め火力位置にあるときに点火スイッチ１１Ａ（点火操作部）によってグリルバーナ１０を点火する操作がなされた場合に火力操作レバー１１Ｂ，１１Ｃを点火火力位置に移動させるように動作する。つまり、火力操作レバー１１Ｂ，１１Ｃが温め火力位置となっている場合であっても、グリルバーナ１０を点火する操作がなされた場合にはその操作に連動させて火力操作レバー１１Ｂ，１１Ｃを適正の位置（火力を相対的に高める位置である点火火力位置）に設定することができる。ゆえに、調理対象物を温めるモードを実行する場合であってもグリルバーナ１０の点火をより確実に行うことができる。更に、モード選択スイッチ６５Ａ（実行操作部）に対して所定操作（所定のあたためモードを実行するための操作）が行われた場合に第２目印部９２の発光部８４Ａが発光する構成となっている。従って、ユーザは、発光部８４Ａが発光しているか否かによってあたためモードに設定されているか否かを把握することができる。しかも、このように構成された第２目印部９２と、火力操作レバー１１Ｂ，１１Ｃの温め火力位置を示す目印である第１目印部９１とを対応付けるように第３目印部９３が形成されているため、ユーザは、第２目印部９２が発光状態にあるとき（所定のあたためモードに設定されているとき）に、この第２目印部９２に対応付けられた第１目印部９１を意識することができるようになる。従って、ユーザは、あたためモードを実行する場合、点火時に点火火力位置となっていた火力操作レバー１１Ｂ，１１Ｃを点火後に温め火力位置に移動させるような対応をより確実に行いやすくなり、点火後の過剰な加熱を抑制し得る構成を、より簡易に実現することができる。
【００５８】
第３目印部９３は、第２目印部９２から第１目印部９１に向けて延びる形状で描かれた線状の図形を含んでいる。このように第３目印部９３が構成されていれば、第３目印部９３に含まれる線状の図形により、第２目印部９２と第１目印部９１とが対応付けられていることを、ユーザに対して視覚面で直感的に分かりやすく伝えることができる。
【００５９】
第１目印部９１は、あたためモードに対応する所定単語（あたためモードの略称である「あたため」の単語）が示された第１文字表示部９１Ａを含んでいる。第２目印部９２は、第１文字表示部９１Ａの所定単語と同一の単語（「あたため」の単語）が示された第２文字表示部８５Ａ及び発光部８４Ａを含んでいる。このように、第１目印部９１に設けられた第１文字表示部９１Ａと第２目印部９２に設けられた第２文字表示部８５Ａのそれぞれにおいてあたためモードに対応する所定単語（「あたため」の単語）が示されていれば、ユーザは、第１目印部９１と第２目印部９２の関連性を、より確証をもって認識することができる。ゆえに、ユーザは、あたためモードを実行する場合に、火力操作レバー１１Ｂ，１１Ｃを、点火後に温め火力位置に移動させるような対応をより確実に行いやすくなる。なお、所定単語と同一の単語ではなく、同義又は類似する意味の単語であっても良い。
【００６０】
点火火力位置にあるときの火力操作レバー１１Ｂ，１１Ｃの位置よりも温め火力位置にあるときの火力操作レバー１１Ｂ，１１Ｃの位置に近い位置に、第１目印部９１、第２目印部９２、第３目印部９３がそれぞれ設けられている。このように温め火力位置にあるときの火力操作レバー１１Ｂ，１１Ｃの位置に近い位置となるように、第１目印部９１、第２目印部９２、第３目印部９３がそれぞれ設けられていれば、発光部８４Ａが発光しているとき（即ち、あたためモードに設定される場合）に、第１目印部９１、第２目印部９２、第３目印部９３が同時にユーザの目に入りやすくなる。ユーザは、発光状態となっている第２目印部９２と第１目印部９１との関連性をより確実に認識し、火力操作レバー１１Ｂ，１１Ｃを点火後に温め火力位置に移動させる対応をより確実に行いやすくなる。
【００６１】
操作パネル６５（パネル部）には、あたためモード以外のモードが選択された場合に発光する第２発光部８４Ｂ，８４Ｃ，８４Ｄをそれぞれ備えた各第４目印部９４が形成されている。そして、第２目印部９２と複数の第４目印部９４とが複数段に並んだ形でモード表示部８３が構成されている。更に、火力操作レバー１１Ｂ，１１Ｃ及び第１目印部９１の下方側にモード表示部８３が設けられ、モード表示部８３の最上段において第１目印部９１と所定方向（具体的には、斜め上下方向）に対向する形態で第２目印部９２が設けられている。このようにモード表示部８３の最上段において第１目印部９１と所定方向に対向する形態で第２目印部９２が設けられていれば、複数のモード表示を行い得るパネル構成を採用しつつ、第１目印部９１と第２目印部９２とを対向状態で近づけることができる。よって、複数のモード表示を行い得る構成であっても、第２目印部９２が発光状態となっているときに第１目印部９１をより強く印象付けることができる。
【００６２】
＜実施例２＞
次に、図１３、図１４などを参照し、実施例２について説明する。
実施例２は、第３目印部２９３の構成が実施例１の第３目印部９３と異なり、第３目印部２９３の構成以外は実施例１と同様である。よって、以下では、第３目印部２９３の構成を重点的に説明し、実施例１と同様の構成をなす部分については、実施例１と同一の符号を付し、詳細な説明は省略する。
【００６３】
図１３、図１４（Ａ）のように、実施例２のガスコンロに設けられた第３目印部２９３は、図９（Ｂ）で示す導出部８８Ｂとは異なる光導出部２８８を備えている。光導出部２８８は、少なくとも発光部８４Ａが発光する場合に、第３目印部２９３の少なくとも一部から操作パネル６５（パネル部）の外部に向けて光を導出させるように構成されている。光導出部２８８は、光誘導部材としての反射板２８８Ａ、２８８Ｂと、窓部２８８Ｃとを備え、所定操作（あたためモードに設定する操作）に応じて発光部８４Ａが発光した場合に当該発光部８４Ａからの光を導いて操作パネル６５（パネル部）の外側に導出する構成となっている。図１４（Ａ）の構成では、発光部８４Ａの光源である発光素子８８Ａが発光した場合、一部の光が導出部８８Ｂから導出され、一部の光が反射板２８８Ａ、２８８Ｂで反射して窓部２８８Ｃを介して操作パネル６５の外部に導かれるようになっている。本構成でも、操作パネル６５の前面部が例えば樹脂シートなどのシート部材によって構成されており、窓部２８８Ｃは、この樹脂シートに形成された透光性の窓部として構成されている。窓部２８８Ｃは、後方側に配置された発光素子８８Ａからの光を通過させて前方側に導き得る構成であればよく、樹脂材料などからなる透明部として構成されていてもよく、半透明部として構成されていてもよい。或いは、上記樹脂シートに形成された孔部として構成されていてもよい。
【００６４】
このように光導出部２８８が設けられていれば、発光部８４Ａが発光する場合（あたためモードに設定される場合）に、第３目印部２９３を光らせた状態とすることができ、ユーザに第３目印部９３をより一層印象付けることができる。ゆえに、ユーザは、第３目印部９３によってなされる対応関係（第２目印部９２と第１目印部９１との対応関係）をより一層意識することになり、火力操作レバー１１Ｂ，１１Ｃを点火後に温め火力位置に移動させる対応がより行われやすくなる。
【００６５】
光導出部２８８は、所定操作に応じて発光部８４Ａが発光した場合に当該発光部８４Ａからの光を導いて操作パネル６５（パネル部）の外側に導出する構成となっている。このように光導出部２８８が構成されていれば、発光部８４Ａの光（具体的には、発光素子８８Ａからの光）を利用して第３目印部２９３を光らせることができるようになり、第３目印部２９３を光らせるための専用の発光部などを削減しやすくなる。
【００６６】
＜他の実施例＞
本発明は上記記述及び図面によって説明した実施例に限定されるものではなく、例えば次のような例も本発明の技術的範囲に含まれる。
【００６７】
実施例２では、光導出部の一例として光導出部２８８を例示したが、図１４（Ｂ）のような光導出部２９８としてもよい。図１４（Ｂ）では、発光素子８８Ａが、導光板２９８Ａの側部に光を当てるエッジライト型として構成されており、導光板２９８Ａは、発光素子８８Ａからの光を取り込んで、導出部８８Ｂ及び窓部２８８Ｃのそれぞれに向けて前方側に光を導出する構成となっている。なお、窓部２８８Ｃは、実施例２と同様の構成をなす。
【００６８】
実施例２では、発光部８４Ａの光を利用して第３目印部２９３を光らせていたが、第３目印部２９３を光らせるための専用の発光部を設けるようにしてもよい。この場合、専用の発光部と、第３目印部２９３に設けられた窓部（窓部２８８Ｃと同様の窓部）が光導出部の一例に相当する。
【符号の説明】
【００６９】
１…ガスコンロ、２…筐体部、１０…グリルバーナ、１１Ａ…点火スイッチ（点火操作部）、１１Ｂ，１１Ｃ…火力操作レバー、１１Ｄ…連動機構、１２…グリル庫、６５…操作パネル（パネル部）、６５Ａ…モード選択スイッチ（実行操作部）、８３…モード表示部、８４Ａ…発光部、８５Ａ…第２文字表示部、８４Ｂ，８４Ｃ，８４Ｄ…第２発光部、９１…第１目印部、９１Ａ…第１文字表示部、９２…第２目印部、９３，２９３…第３目印部、９４…第４目印部、２８８，２９８…光導出部
【図１】
2018179432.tif 000003
【図２】
2018179432.tif 000004
【図３】
2018179432.tif 000005
【図４】
2018179432.tif 000006
【図５】
2018179432.tif 000007
【図６】
2018179432.tif 000008
【図７】
2018179432.tif 000009
【図８】
2018179432.tif 000010
【図９】
2018179432.tif 000011
【図１０】
2018179432.tif 000012
【図１１】
2018179432.tif 000013
【図１２】
2018179432.tif 000014
【図１３】
2018179432.tif 000015
【図１４】
2018179432.tif 000016